(57)【要約】      （修正有）【課題】替刃式刃物の収納機能、刃折り機能、折り取られた刃先の収容機能を備えた収納具を提供する。【解決手段】開口部７を有する有底袋状の収納具本体１と、収納具本体１に収納可能な金属製の基板１４と、基板１４の一側面１５に設けた刃折部１６と、基板１４の上部に設けられた係止手段２２とを備えた替刃式刃物の収納具であって、刃折部は、金属製の刃折体５と、基板４と刃折体５との間隔を替刃式刃物２の刃体３の厚み以上に保持するスペーサー部材６とを備えたことにより、替刃式刃物の収納、刃先の刃折り機能、折り取られた刃先の収容が一つの収納具の中で済ませられることで、作業者の腰回りの装備品を必要最小限に抑えるとともに、折り取られた刃先がそのまま収納具本体１に収容されるので、刃先が床等に飛散することを防ぎ、作業の安全性の向上と作業環境の保全を図ることができる。【選択図】図１
0003152396.tif 000002
【実用新案登録請求の範囲】
【請求項１】
上部に開口部を有する有底袋状の収納具本体と、前記収納具本体に収納可能な大きさに形成された金属製の基板と、前記基板の一側面に設けられた、替刃式刃物の刃体を折るための刃折部と、前記基板の上部に設けられた係止手段とを備えた替刃式刃物の収納具であって、
前記刃折部は、前記基板の前記一側面側に配設された金属製の刃折体と、前記刃折体と前記基板の前記一側面との間隔を前記替刃式刃物の前記刃体の厚み以上に保持するスペーサー部材とを備えたことを特徴とする替刃式刃物の収納具。
【請求項２】
前記基板の他側面を前記収納具本体内に着脱自在とする固定手段を備えたことを特徴とする請求項１記載の替刃式刃物の収納具。
【請求項３】
前記固定手段を、前記基板の前記他側面及び前記収納具本体の背面部の一方に設けられた凸部と、その他方に設けられた凹部とからなり、前記凸部と前記凹部を嵌合させる嵌合手段とすることを特徴とする請求項２記載の替刃式刃物の収納具。
【請求項４】
前記収納具本体の前面部には、板材からなる補強部材が配設されたことを特徴とする請求項１〜３のいずれか１項に記載の替刃式刃物の収納具。
【請求項５】
前記収納具本体の前記背面部には、前記基板より可撓性の大きな合成樹脂製の板材が配設されたことを特徴とする請求項３又は４に記載の替刃式刃物の収納具。
【請求項６】
前記収納具本体の前記開口部から底部にかけて略先細形状を有することを特徴とする請求項１〜５のいずれか１項に記載の替刃式刃物の収納具。
【請求項７】
前記刃折体を、円盤状の板材としたことを特徴とする請求項１〜６のいずれか１項に記載の替刃式刃物の収納具。
【請求項８】
前記基板の前記一側面を隆起して形成された段差部を備え、この段差部に前記刃折体を配設したことを特徴とする請求項１〜７のいずれか１項に記載の替刃式刃物の収納具。
【請求項９】
前記収納具本体は、高強度の織布、不織布、編布または皮革からなることを特徴とする請求項１〜８のいずれか１項に記載の替刃式刃物の収納具。
【請求項１０】
前記係止手段を、前記基板の上部を後方に折り返して形成されたクリップ構造としたことを特徴とする請求項１〜９のいずれか１項に記載の替刃式刃物の収納具。
【考案の詳細な説明】
【技術分野】
【０００１】
本考案は、カッターナイフ等の替刃式刃物の収納具に関する。
【背景技術】
【０００２】
従来、カッターナイフ等の替刃式刃物の替刃を収納する収納具において、プラスチックなどからなるケースに刃折の機能を持たせているものとしては、カッターナイフの替刃を収納する替刃収納ポケットと仕切られた状態で、刃折り機能を備えたものがある（例えば、特許文献１）。このような替刃収納具では、入口にカッターの刃が入るスリットが設けられ、そこにカッターの刃先を差し込んで折り取る仕組みとなっていた。折り取られた刃先は、そのまま仕切られた刃折収納部分に落ちる仕組みとなっている。
【先行技術文献】
【特許文献】
【０００３】
【特許文献１】実開昭４７−１２５９９号公報
【考案の概要】
【考案が解決しようとする課題】
【０００４】
しかし、折り取られた刃先を替刃式刃物と一緒に収納可能とする収納具はこれまで無く、そのため折り取られた刃先と替刃式刃物をそれぞれ別々の収納具に収納する必要があり、替刃式刃物の収納、刃折り機能、折り取られた刃先の収容が一つの収納具の中で済ませられる収納具が待ち望まれていた。
【０００５】
そこで本考案は、替刃式刃物の収納機能、刃折り機能、折り取られた刃先の収容機能を備えた収納具を提供することを課題とする。
【課題を解決するための手段】
【０００６】
請求項１の考案は、上部に開口部を有する有底袋状の収納具本体と、前記収納具本体に収納可能な大きさに形成された金属製の基板と、前記基板の一側面に設けられた、替刃式刃物の刃体を折るための刃折部と、前記基板の上部に設けられた係止手段とを備えた替刃式刃物の収納具であって、前記刃折部は、前記基板の前記一側面側に配設された金属製の刃折体と、前記刃折体と前記基板の前記一側面との間隔を前記替刃式刃物の刃体の厚み以上に保持するスペーサー部材とを備えたことを特徴とする。
【０００７】
請求項２の考案は、前記基板の他側面を前記収納具本体内に着脱自在とする固定手段を備えたことを特徴とする。
【０００８】
請求項３の考案は、前記固定手段を、前記基板の前記他側面及び前記収納具本体の背面部の一方に設けられた凸部と、その他方に設けられた凹部とからなり、前記凸部と前記凹部を嵌合させる嵌合手段とすることを特徴とする。
【０００９】
請求項４の考案は、前記収納具本体の前面部には、板材からなる補強部材が配設されたことを特徴とする。
【００１０】
請求項５の考案は、前記収納具本体の前記背面部には、前記基板より可撓性の大きな合成樹脂製の板材が配設されたことを特徴とする。
【００１１】
請求項６の考案は、前記収納具本体の前記開口部から底部にかけて略先細形状を有することを特徴とする。
【００１２】
請求項７の考案は、前記刃折体を、円盤状の板材としたことを特徴とする。
【００１３】
請求項８の考案は、前記基板の前記一側面を隆起して形成された段差部を備え、この段差部に前記刃折体を配設したことを特徴とする。
【００１４】
請求項９の考案は、前記収納具本体は、高強度の織布、不織布、編布または皮革からなることを特徴とする。
【００１５】
請求項１０の考案は、前記係止手段を、前記基板の上部を後方に折り返して形成されたクリップ構造としたことを特徴とする。
【考案の効果】
【００１６】
請求項１の考案によれば、替刃式刃物の収納、刃体の刃折り機能、折り取られた刃体の収納が一つの収納具の中で済ませられることで、作業者の腰回りの装備品を必要最小限に抑えて、作業性の向上を図ることができる。さらに、刃体の切れ味が落ちる毎に刃体の刃先を折り取って、別の新しい刃先を使用する替刃式刃物において、替刃式刃物の収納と刃先の刃折り、折り取られた刃体の収容を同時に行うことにより、刃折部により折り取られた刃先もそのまま収納具本体に収納されるので、刃先が床等に飛散することを防ぎ、作業の安全性の向上と作業環境の保全を図ることができる。また、替刃式刃物の刃体を簡単、そして確実に折り取ることが可能な構成とすることで、刃先の刃折作業を効率よく行うことができる。
【００１７】
請求項２の考案によれば、固定手段を介して収納具本体と基板を着脱自在とすることで、基板を他の収納具に係止させたまま、収納具本体を基板から取り外すだけで、他の収納具から本考案の収納具の収納具本体のみを離脱させることで、収納具本体１内部に溜まった折れた刃体を廃棄する際に、収納具本体内の刃体を基板に引っ掛けることなく収納具本体外に除去することが可能となり、刃体の廃棄作業を安全、且つ、簡便に行うことができる。
【００１８】
請求項３の考案によれば、固定手段を凸部と凹部とを嵌合させる構成とすることで、収納具本体と基板との着脱作業を容易にするとともに、基板を収納具本体に取り付ける際の凸部と凹部を嵌合させて生じる衝撃とカチッという音によって、基板の収納具本体への取り付け完了を容易に確認することができるので、不完全な取り付けによる収納具本体の脱落を防止することができる。
【００１９】
請求項４の考案によれば、収納具本体内部の刃体や刃折作業中の刃物により収納具本体の前面部が傷付き破損することを防止できるものとなっている。
【００２０】
請求項５の考案によれば、収納具本体の背面部に外側から力を加えて弾性変形させ、この弾性変形した背面部によって収納具本体内部に凸曲面を形成して、嵌合状態の凸部と凹部を引き離して、固着手段の嵌合状態を解除させることができる。このように作業者は固定手段に直接手を触れずに、収納具本体の背面部に外側から力を加えて弾性変形させて、弾性変形させた収納具本体の背面部を介して収納具本体内部に固定された基板を押すだけという簡単な操作によって固定手段の嵌合状態を解除させることが可能となるので、固定手段の操作性を向上させるとともに、固定手段の嵌合解除の際に収納部本体内部に手を入れる必要が無いので、収納具本体内部に溜まった刃体によって作業者の手が傷付けられることも防ぐことができる。
【００２１】
請求項６の考案によれば、他の収納具への出し入れが容易になり、例えば、間口の狭い収納具への出し入れも容易にすることができる。
【００２２】
請求項７の考案によれば、刃折体を全周に亘り引っ掛かりの少ない形状とすることで、基板と刃折体との隙間に対して刃折体の周方向のどの方向から刃先を差し込んだとしても、容易に刃体を折り取ることが可能となるので、作業者の利き腕が左右どちらであったとしても関係なく、刃折作業を容易に行うことができる。
【００２３】
請求項８の考案によれば、刃折体と基板の一側面との隙間への刃体の挿入可能角度が広がり、刃折作業が更に容易となる。
【００２４】
請求項９の考案によれば、収納具本体を所定の強度を有する材料から形成することで、替刃式刃物の刃先や、折り取られた刃先によって収納具本体が破損してしまうことを防ぎ、収納具の信頼性を向上させることができる。
【００２５】
請求項１０の考案によれば、係止手段をクリップ構造としたことにより、本考案の収納具を他の収納具や作業者の腰ベルトに脱着させる作業を容易にするとともに、係止手段は基板の上部を折り返して形成させたクリップ構造であるから他の収納具や腰ベルトに対して面接触が可能となり、他の収納具や腰ベルトへの安定して係止させることができる。
【図面の簡単な説明】
【００２６】
【図１】本考案の替刃式刃物の収納具を示す斜視図である。
【図２】同収納具の分解斜視図である。
【図３】同収納具の断面図である。
【図４】図３において刃折部付近を拡大した断面図である。
【図５】本考案の替刃式刃物の収納具を他の収納具に装着した状態を示す斜視図である。
【図６】同収納具を収納具本体と基板に分解する際に、収納具本体に力を加えた状態を示す斜視図である。
【図７】図６における背面部材付近を示す収納具の断面図である。
【図８】同上、刃折作業を示す斜視図である。
【図９】同上、収納具本体内の刃先を廃棄する様子を示す斜視図である。
【考案を実施するための形態】
【００２７】
以下、本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２８】
図１乃至図９は、本考案の収納具の一実施例を示すものであり、１は有底袋状の収納具本体である。この収納具本体１は、略矩形状の合成樹脂製の板材からなる背面部材２と、略矩形状に形成された前面部３の左右両側にマチ部として蛇腹状に形成された側面部４,４を一体に形成した収容部材５とから構成されており、背面部材２の下縁と収容部材５の前面部３の下縁とを縫製して底部６を形成すると共に、背面部材２の左右両縁と収容部材５の左右両側面部４,４の側縁とを縫製することにより、収納具本体１は上部に開口部７を有し、この開口部７から底部６にかけて側面視略先細な形状を有するものとする。
【００２９】
ここで、背面部材２と収容部材５の表皮８には、ナイロン等の化学繊維製で高強度の織布、不織布、編布または皮革を用いることが好ましい。
【００３０】
また、収容部材５の前面部３は、前述の表皮８に矩形の合成樹脂製の板材からなる補強部材９を内包して形成されており、前面部３の内面には保護部材１０として切り裂き強度に優れた合成樹脂製の織布が貼設されている。
【００３１】
この収納具本体１に収納される替刃式刃物としてのカッターナイフ１１は、取り替え可能な替刃として破断溝１２を所定間隔で形成した刃体１３を備えたものである。
【００３２】
４は、ステンレス鋼等の金属板からなる基板１４を示している。基板１４の一側面１５には、カッターナイフ１１の刃体１３を折るための刃折部１６を備えている。この刃折部１６は、円盤状の金属製の板材からなる刃折体１７と、刃体１３の厚みＨ１以上の厚みＨ２に形成されたスペーサー部材としてのワッシャー１８と、刃折体１７をワッシャー１８及び基板１４に設けた貫通部１９を介して基板１４の一側面１５に保持する保持部材としてのリベット２０によって構成されている。このような構成により、刃折体１７は基板１４の一側面１５に対して、平行、且つ刃体１３の厚みＨ１以上の間隔Ｈ２を有した状態で保持されている。ここで、貫通部１９は基板１４の一側面１５側へ２段階に円形状に隆起させて形成した段差部２１の略中心部分に形成されたものである。
【００３３】
また、基板１４の上部には、他の収納具２８の収納部であるポケット２９の開口縁３０等への係止を可能とする係止手段２２を備えている。この係止手段２２は、基板１４の上部を基板１４の背面である他側面２３と略平行となるように下方へと折り返したクリップ構造としたものとする。
【００３４】
ここで、収納具本体１の背面部材２と基板１４との関係としては、背面部材２は基板１４よりも可撓性を大きく設計されていることが好ましい。
【００３５】
さらに、収納具は、基板１４の他側面２３を収納具本体１の背面部材２の一側面２４に着脱自在にするスナップボタンからなる固定手段２５を備えている。この固定手段２５は、収納具本体１の背面部材２の一側面２４に左右一対に備えた嵌合凸部としての凸型スナップ２６と、基板１４の他側面２３に左右一対に備えた嵌合凹部としての凹型スナップ２７とを備えており、凸型スナップ２６と凹型スナップ２７とをスナップ嵌合させることにより、基板１４と収納具本体１の背面部材２とを着脱自在なものとしている。
【００３６】
以上の構成について、図５に基づいてカッターナイフ１１が収納具本体１の収容部材５に収納された本考案の収納具の他の収納具２８への装着方法を述べると、他の収納具２８のポケット２９に本考案の収納具本体１を底部６から差し込み、係止手段２２を他の収納具２８のポケット２９の開口縁３０に係止させると、収納具の装着が完了する。
【００３７】
次に、図２に基づいて収納具本体１に対する基板１４の取付方法について説明すると、互いに固定手段２５である収納具本体１に設けた凸型スナップ２６と基板１４に設けた凹型スナップ２７とを、スナップ嵌合させて、収納具本体１への基板１４の取り付けを行う。一方、嵌合状態の凸型スナップ２６と凹型スナップ２７による収納具本体１と基板１４の固定を解除するには、図６及び図７に示すように収納具本体１の背面部材２に外側から力Ｆを加えて弾性変形させ、この弾性変形した背面部材２に凸曲面Ｒを形成させて、嵌合状態の凸型スナップ２６と凹型スナップ２７を引き離すことによって、固定手段２５の嵌合状態を解除させて、収納具本体１から基板１４を離脱させる。
【００３８】
続いて、図２及び図８に示すように、刃折部１６を用いたカッターナイフ１１の刃折作業について説明する。刃先１３Ａが磨耗や欠損等により切れ味が低下した刃体１３に対して、その刃先１３Ａを刃折体１７と基板１４との隙間に挿入して、カッターナイフ１１の握り部２Ａ側を基板１４の一面から離れる方向へ動かすと、刃体１３と刃折体１７との接触部分を支点、刃体１３の刃先１３Ａと基板１４との接触部分を作用点、カッターナイフ１１の握り部１１Ａ側を力点としたてこの原理により刃先１３Ａに力が掛かると、刃先１３Ａが破断溝１２から折り取られて新しい刃先１３Ａが形成される。刃体１３から離脱した刃先１３Ａは、落下して収納部本体１内に収容される。そして、作業後に使い終わったカッターナイフ１１は離脱した刃先１３Ａとともに収納具本体１の内部に収容される。
【００３９】
ここで、刃折体１７を円盤状に形成された金属製の板材としたことにより、刃折体１７の全周に亘り引っ掛かりの少ない形状となり、刃折体１７の周方向のどの方向からでも容易に刃折体１７と基板１４との隙間に刃体１３を挿入することができるので、作業者の利き腕が左右どちらであったとしても容易に刃体１３の刃折作業を行うことが可能となる。
【００４０】
さらに、収納具本体１に収容された刃先１３Ａの廃棄方法について説明すると、前述の通り他の収納具２８に装着された本考案の収納具を、基板１４の係止部を他の収納具２８の開口縁３０に係止させたままの状態で、収納具本体１と基板１４とを固定している固定手段２５の嵌合状態を解除させて、収納具本体１のみを他の収納具２８から離脱させて、この収納具本体１に収容されている刃先１３Ａをゴミ箱３１等へ廃棄する（図９参照）。その後、刃先１３Ａの廃棄が済んだ収納具本体１を、元の他の収納具２８のポケット２９に差し込み、ポケット２９の開口縁３０に係止させたままの基板１４を固定手段２５を介して固定させて、他の収納具２８に装着する。
【００４１】
以上の本実施例は請求項１に対応しており、上部に開口部７を有する有底袋状の収納具本体１と、収納具本体１に収納可能な大きさに形成された金属製の基板１４と、基板１４の一側面１５に設けられた、替刃式刃物１１の刃体１３を折るための刃折部１６と、基板１４の上部に設けられた係止手段２２とを備えた替刃式刃物１１の収納具であって、刃折部１６は、基板１４の一側面１５側に配設された金属製の刃折体１７と、刃折体１７と基板１４の一側面１５との間隔Ｈ２を替刃式刃物１１の刃体１３の厚みＨ１以上に保持するスペーサー部材としてのワッシャー１８とを備えている。
【００４２】
この場合、替刃式刃物２の収納、刃先１３Ａの刃折り機能、折り取られた刃先１３Ａの収容が一つの収納具の中で済ませられることで、作業者の腰回りに装着される装備品を必要最小限に抑えて、作業性の向上を図ることができる。さらに、刃先１３Ａの切れ味が落ちる毎に刃体１３の刃先１３Ａを折り取って、別の新しい刃先１３Ａを使用する替刃式刃物１１において、替刃式刃物１１の収納と刃先１３Ａの刃折りと折り取られた刃先１３Ａの収容を同時に行うことにより、刃折りにより折り取られた刃先１３Ａもそのまま収納具本体１に収容されるので、刃先１３Ａが床等に飛散することを防ぎ、作業の安全性の向上と作業環境の保全を図ることができる。また、替刃式刃物１１の刃体１３を簡単、そして確実に折り取ることが可能な構成とすることで、刃折作業を効率よく行うことができる。
【００４３】
また、本実施例は請求項２に対応しており、基板１４の他側面２３を収納具本体１内に着脱自在とする固定手段２５を備えている。
【００４４】
この場合、固定手段２５を介して収納具本体１と基板１４を着脱自在とすることで、基板１４を他の収納具２８に係止させたまま、固定手段２５の凸型スナップ２６と凹型スナップ２７による嵌合状態を解除して、収納具本体１を基板１４から取り外すだけで、他の収納具２８から本考案の収納具の収納具本体１のみを離脱させることで、収納具本体１内部に溜まった折れた刃先１３Ａを廃棄する際に、収納具本体１内の刃先１３Ａを基板１４に引っ掛けることなく収納具本体１外に除去することが可能となり、刃先１３Ａの廃棄作業を安全、且つ、簡便に行うことができる。
【００４５】
さらに、本実施例は請求項３に対応しており、固定手段２５を、収納具本体１の背面部としての背面部材２の一方に設けられた凸部としての凸型スナップ２６と、基板１４の他側面２３に設けられた凹部としての凹型スナップ２７とからなり、凸型スナップ２６と凹型スナップ２７を嵌合させる嵌合手段であるスナップボタンとしている。
【００４６】
この場合、固定手段２５を凸型スナップ２６と凹型スナップ２７とを嵌合させる構成とすることで、収納具本体１と基板１４との着脱作業を容易にするとともに、基板１４を収納具本体１に取り付ける際の凸型スナップ２６と凹型スナップ２７を嵌合させて生じる衝撃とカチッという音によって、基板１４の収納具本体１への取り付け完了を容易に確認することができるので、不完全な取り付けによる収納具本体１の脱落を防止することができる。
【００４７】
また、本実施例は請求項４に対応しており、収納具本体１の前面部３には、板材からなる補強部材９が内包して配設されている。
【００４８】
この場合、収納具本体１内部の刃体１３や刃折作業中のカッターナイフ１１により収納具本体１の前面部３が傷付き破損することを防止できるものとなっている。
【００４９】
さらに、本実施例は請求項５に対応しており、収納具本体１の背面部である背面部材２には、基板１４より可撓性の大きな合成樹脂製の板材が配設されている。
【００５０】
この場合、収納具本体１の背面部材２に外側から力Ｆを加えて弾性変形させ、この弾性変形した背面部材２の一側面２４に凸曲面Ｒを形成させることによって、嵌合状態の凸型スナップ２６と凹型スナップ２７を引き離して、固定手段２５の嵌合状態を解除させることができる。このように作業者は固定手段２５に直接手を触れずに、収納具本体１の背面部材２に外側から力Ｆを加えて弾性変形させるだけという簡単な操作によって固定手段２５の嵌合状態を解除させることが可能となるので、固定手段２５の操作性を向上させるとともに、固定手段２５の嵌合解除の際に収納部本体１内部に手を入れる必要が無く、収納具本体１内部に溜まった刃先１３Ａによって作業者の手が傷付けられることも防ぐことができる。
【００５１】
また、本実施例は請求項６に対応しており、収納具本体１の開口部７から底部６にかけて略先細形状を有している。
【００５２】
この場合、他の収納具２８への出し入れが容易になり、例えば、間口の狭い他の収納具２８への出し入れも容易にすることができる。
【００５３】
さらに、本実施例は請求項７に対応しており、刃折体１７を円盤状の板材としており、刃折体１７を全周に亘り引っ掛かりの少ない形状とすることで、基板１４と刃折体１７との隙間に対して刃折体１７の周方向のどの方向から刃先１３Ａを差し込んだとしても、容易に刃体１３を折り取ることが可能となるので、作業者の利き腕が左右どちらであったとしても関係なく、刃折作業を容易に行うことができる。
【００５４】
また、本実施例は請求項８に対応しており、基板１４の一側面１５を隆起して形成された段差部２１を備え、この段差部２１に設けた貫通部１９にリベット２０を介して刃折部１６の刃折体１７を配設したことにより、図４に示すように刃折体１７と基板１４の一側面１５との隙間への刃体１３の挿入可能角度θが広がり、刃折作業が更に容易となる。
【００５５】
さらに、本実施例は請求項９に対応しており、収納具本体１の表皮８は、高強度の織布、不織布、編布または皮革からなり、替刃式刃物１１の刃先１３Ａや、折り取られた刃先１３Ａによって収納具本体１が破損してしまうことを防いで、収納具の信頼性を向上させることができる。
【００５６】
また、本実施例は請求項１０に対応しており、係止手段２２を、基板１４の上部を後方に折り返して形成されたクリップ構造としている。
【００５７】
この場合、係止手段２２をクリップ構造としたことにより、本考案の収納具を他の収納具２８等に脱着させる作業を容易にするとともに、係止手段２２は基板１４の上部を基板１４の他側面２３と略平行となるように下方へと折り返して形成させたクリップ構造であるから、係止手段２２は他の収納具２８等に対して面接触が可能となるので、係止状態を安定させることができる。
【００５８】
以上、本考案の替刃式刃物の収納具について前記実施例を参照して説明してきたが、本考案は、前記実施例に限られるものではなく、本考案の思想の範囲内で種々の変形実施が可能である。例えば、係止手段が係止される対象についても、他の収納具に限られるものではなく、作業者の腰ベルトや壁等であってもよく、また固定手段についてもスナップボタンに限らず、面ファスナなど汎用の係合・係止手段を用いることができる。さらに、収納具本体の側面形状も略先細形状に限られるものではない。
【符号の説明】
【００５９】
１    収納具本体
２    背面部材（背面部）
３    前面部
６    底部
７    開口部
９    補強部材
１１  カッターナイフ（替刃式刃物）
１３  刃体
１４  基板
１５  一側面（基板）
１６  刃折部
１７  刃折体
１８  ワッシャー（スペーサー部材）
２１  段差部
２２  係止手段
２３  他側面（基板）
２５  固定手段
２６  凸型スナップ（凸部）
２７  凹型スナップ（凹部）
Ｈ１  厚み
Ｈ２  間隔
【図１】
0003152396.tif 000003
【図２】
0003152396.tif 000004
【図３】
0003152396.tif 000005
【図４】
0003152396.tif 000006
【図５】
0003152396.tif 000007
【図６】
0003152396.tif 000008
【図７】
0003152396.tif 000009
【図８】
0003152396.tif 000010
【図９】
0003152396.tif 000011